(57)【要約】【課題】  簡単な構成で確実にヨロイ等をレンズに取り付けることができる眼鏡の連結装置を提供する。【解決手段】  レンズ１１と同質又は軟質の材料で形成され、一面が前記レンズの一面に当接し、他面がブリッジ１２又はヨロイ１３に当接する本体２１と、この本体２１の一端に張り出し形成され、レンズ１１の側面に沿って一定長さでレンズ１１と係合する係合部２２と、本体２１をレンズ１１に取り付けるための貫通孔１１ａに、レンズ１１の他面側から挿入され、レンズ１１と同質又は軟質の材料で形成されたスリーブナット２５と、本体２１の他面に形成され、ブリッジ１２又はヨロイ１３に形成された嵌合孔１３ｂ又は嵌合突起と嵌合する嵌合突起２１ｂ又は嵌合孔と、ブリッジ１２又はヨロイ１３と本体２１とを挿通して貫通孔１１ａに挿入され、スリーブナット２５に螺着されるボルト２３とを有する。【選択図】  図３
2007093928.tif 000002
【特許請求の範囲】
【請求項１】
ブリッジとレンズとの間及び／又はヨロイとレンズとの間に設けられ、前記レンズと前記ブリッジ及び／又は前記レンズと前記ヨロイとを連結する眼鏡の連結装置であって、
前記レンズと同質又はレンズよりも軟質の材料で形成され、一面が前記レンズに面接触状態で当接するとともに、他面が前記ブリッジ又は前記ヨロイに当接する本体と、
この本体の一端に張り出し形成され、前記レンズの側面に沿って一定長さで前記レンズと係合する係合部と、
前記レンズと同質又はレンズよりもの材料で形成され、前記レンズに形成された貫通孔に挿入されるスリーブナットと、
前記本体に形成され、前記ブリッジ又は前記ヨロイに形成された嵌合孔又は嵌合突起と嵌合する嵌合突起又は嵌合孔と、
前記ブリッジ又はヨロイと前記本体とを挿通して前記レンズの貫通孔に挿入され、前記スリーブナットに螺着されるボルトと、
を有することを特徴とする眼鏡の連結装置。
【請求項２】
前記スリーブナットには前記ボルトを螺入するためのねじ部が予め形成され、かつ、前記スリーブナットの底面側のねじ孔の内径を、開口側のねじ孔の径よりも実質的に小さく形成したことを特徴とする請求項１に記載の眼鏡の連結装置。
【請求項３】
前記ねじ部のねじピッチが０．３ｍｍで、前記底面側のねじ孔の内径を前記開口側のねじ孔の内径よりも１０％〜１５％の範囲内で小さくしたことを特徴とする請求項２に記載の眼鏡の連結装置。
【請求項４】
前記スリーブナットの頭部を、締着工具と係合するように角形状に形成し、かつ、この角形の一辺を凹形円弧状に形成したことを特徴とする請求項１〜３のいずれかに記載の眼鏡の連結装置。
【請求項５】
前記本体、前記係合部、前記スリーブナット及び前記締着手段の少なくとも一つを透明又は半透明の材料で形成したことを特徴とする請求項１〜４のいずれかに記載の眼鏡の連結装置。
【請求項６】
前記レンズに前記スリーブナットの頭部を嵌装する座孔を形成し、この座孔の周壁と前記頭部とが少なくとも一カ所で係合するようにして前記スリーブナットの回転を規制するようにしてことを特徴とする請求項１〜５のいずれかに記載の眼鏡の連結装置。
【発明の詳細な説明】
【技術分野】
【０００１】
本発明は、ヨロイとレンズ又はブリッジとレンズを連結する眼鏡の連結装置に関し、特に、ツーポイント眼鏡と称される縁無し眼鏡に好適な連結装置に関する。
【背景技術】
【０００２】
ツーポイント眼鏡のような縁無し眼鏡においては、ヨロイやブリッジはレンズにボルト等で連結されている。しかし、特に樹脂製のレンズに金属製のヨロイやブリッジを連結する際には、レンズに傷が付きやすく、眼鏡組立の際には細心の注意が必要とされるうえ、万一レンズに傷が付いてしまうと、製品そのものが不良品となってしまうという問題がある。
【０００３】
そこで、金属製のヨロイやブリジットとレンズとを樹脂製の連結装置を用いて連結することが、従来より提案されている（例えば特許文献１，２参照）。
また、レンズに直接接触するナットを樹脂製とすることで、レンズの傷つき防止と緩み止めの効果を図った提案もなされている（例えば、特許文献３参照）。
これら公報に記載の技術は、レンズの傷つき防止や連結構造の改良という点で注目に値するものである。
【０００４】
しかし、特許文献１に記載の技術では、例えば図４を見るとわかるように、レンズの一連結部分あたり二つの孔を形成しなければならず、さらに一方の孔にタッピングを施してねじ溝を形成する必要があるため、加工コストが高くなるうえレンズに傷を付けやすいという問題がある。
【０００５】
また、特許文献２に記載の技術では、例えば図２を見るとわかるように、一連結部分当たりに形成しなければならない孔の数は一つでよいものの、連結具がレンズに対して相対回転しないようにするために、連結具に押圧突部（符号２９）を形成し、この押圧突部が弾性変形してレンズに面接触状態で圧接されるようにしている。しかし、前記相対回転を押圧突部とレンズ表面との摩擦抵抗に依存しているため、長期の使用によって徐々に連結具がレンズに対してその位置を変化させるおそれがある。
【０００６】
さらに、特許文献３に記載の技術では、樹脂製のナットを用いることで組立の際等にレンズに傷を付けるおそれは低減されるものの、ボルトを螺入しながら小径のナットの孔内周面にねじ溝を形成するものであるため、完全なねじ溝を形成するのはきわめて困難で、ボルトにある程度大きな引張力が作用すると、ボルトが比較的容易にナットから抜脱して眼鏡が分解するおそれがあるという問題がある。
また、この文献に記載の技術では、連結具（取付片２）とレンズとの相対回転を防止するために、例えば図１に示すように、取付片２に共回り止めピン４を突設し、レンズに切欠部７を形成しなければならず、レンズの加工工数が増える分だけ、レンズに傷を付ける可能性が高くなり、加工コストも高くなるという問題がある。
【特許文献１】特開２００２−３５０７８３号公報
【特許文献２】特許第３２９９２５６号公報
【特許文献３】特開２００３−１７２９０４号公報
【発明の開示】
【発明が解決しようとする課題】
【０００７】
本発明は、上記の問題点に鑑みてなされたもので、回り止めのための切り欠きや孔等をレンズに形成する必要がなく、従ってレンズに傷を付ける可能性を低減することができ、長期間使用してもレンズと連結装置との間の位置関係が変化することなく、簡単かつ確実にヨロイやブリッジをレンズに取り付けることができる、コスト的にも有利な眼鏡の連結装置の提供を目的とする。
【課題を解決するための手段】
【０００８】
上記の目的を達成するために、請求項１に記載の連結装置は、ブリッジとレンズとの間及び／又はヨロイとレンズとの間に設けられ、前記レンズと前記ブリッジ及び／又は前記レンズと前記ヨロイとを連結する眼鏡の連結装置であって、前記レンズと同質又はレンズよりも軟質の材料で形成され、一面が前記レンズに面接触状態で当接するとともに、他面が前記ブリッジ又は前記ヨロイに当接する本体と、この本体の一端に張り出し形成され、前記レンズの側面に沿って一定長さで前記レンズと係合する係合部と、前記レンズと同質又はレンズよりも軟質の材料で形成され、前記レンズに形成された貫通孔に挿入されるスリーブナットと、前記本体に形成され、前記ブリッジ又は前記ヨロイに形成された嵌合孔又は嵌合突起と嵌合する嵌合突起又は嵌合孔と、前記ブリッジ又はヨロイと前記本体とを挿通して前記レンズの貫通孔に挿入され、前記スリーブナットに螺着されるボルトとを有する構成としてある。
【０００９】
この構成によれば、ガラスや樹脂等の軟質材料で形成されたレンズに金属等の硬質材料で形成されたヨロイやブリッジを連結する際に、前記レンズと同質又は前記レンズよりも軟質の材料、例えば樹脂材料で形成された連結装置を介してヨロイやブリッジを連結するので、眼鏡組立の際にレンズに傷を付けるおそれがない。
また、本体の一端に一定長さで張り出し形成された係合部が、レンズの側面と係合して本体の回転を確実に規制するので、回り止めのための切り欠きや孔をレンズに形成する必要がなく、組立コストを低廉なものにすることができる。なお、この係合部の長さは、レンズに対する本体の相対回転を規制するものであればよく、その具体的な長さは、経験や実験、眼鏡のデザインに基づいて決定することができる。
【００１０】
また、請求項２に記載するように、前記スリーブナットには前記ボルトを螺入するためのねじ部を予め形成しておき、かつ、前記スリーブナットの底面側のねじ孔の内径を、開口側のねじ孔の径よりも実質的に小さく形成してもよい。
このようにすることで、スリーブナットにスムースにボルトを螺入することができ、眼鏡の組立を容易にするとともに、眼鏡組立後のボルトの緩みを効果的に抑制することができる。また、ねじ溝を切削することによる切削屑が、ナット内に長期にわたって残存するという不都合も生じない。
この場合、請求項３に記載するように、前記ねじ部のねじピッチを０．３ｍｍ程度とし、前記底面側のねじ孔の内径を前記開口側のねじ孔の内径の８５％〜９０％の範囲内とするとよい。
【００１１】
請求項４に記載の発明は、前記スリーブナットの頭部を、締着工具と係合するように角形状に形成し、かつ、この角形の一辺を凹形円弧状に形成した構成としてある。
このようにすることで、特に小径のスリーブナットをレンチ等で締め付ける際に、スリーブナットとレンチとの係合性を高め、確実にスリーブナットとボルトとを締め付けることができる。
本発明において連結装置は、着色されたものであってもよいが、請求項５に記載するように、前記本体、前記係合部、前記スリーブナット及び前記締着手段の少なくとも一つを透明又は半透明の材料で形成してもよい。
このようにすることで、連結部分を外部からほとんど目立たなくすることが可能である。
請求項６に記載の発明は、前記レンズに前記スリーブナットの頭部を嵌装する座孔を形成し、この座孔の周壁と前記頭部とが少なくとも一カ所で係合するようにして前記スリーブナットの回転を規制するようにした構成としてある。
この構成によれば、座孔にスリーブナットの頭部を嵌装することで、スリーブナットの回転を規制することができ、ボルトの緩みを防止することができる。
【発明の効果】
【００１２】
本発明によれば、回り止めのための切り欠きや孔等をレンズに形成する必要がなく、眼鏡の組立が容易になり、デザイン選択の幅を広げることができるとともにコスト的にも有利な眼鏡の連結装置を得ることができる。
【発明を実施するための最良の形態】
【００１３】
以下、本発明の好適な実施形態を、図面を参照しながら詳細に説明する。
図１（ａ）は、本発明の一実施形態にかかる眼鏡の正面図、図１（ｂ）はヨロイとレンズの連結部分の拡大正面図である。
縁無し眼鏡であるツーポイント眼鏡１（以下、眼鏡１と記載する）は、左右のレンズ１１，１１と、このレンズ１１，１１を連結する中央のブリッジ１２と、左右のレンズ１１，１１の両端に取り付けられたヨロイ１３，１３とを有している。
なお、以下の説明では、レンズ１１，１１は樹脂製で、ヨロイ１３，１３及びブリッジ１２はチタン等の金属で形成されていることを前提とするが、本発明の連結装置は、ガラス製のレンズと樹脂製，木製，竹製その他の材質のヨロイやブリッジとの連結にも適用が可能である。
【００１４】
ブリッジ１２及びヨロイ１３，１３は、四つの連結装置２，２・・を介して、レンズ１１，１１に取り付けられる。連結部分の詳細を、図１（ｂ）に示すが、連結装置２は、レンズ１１の表面に押し当てられる連結具２０と、この連結具２０とともにヨロイ１３やブリッジ１２をレンズ１１に締着するためのスリーブナット２５及びボルト２３とを主構成要素とする。
【００１５】
図２は、連結具の詳細を説明する図で、（ａ）は、ヨロイ１３に当接する面（裏面）側から見た斜視図、（ｂ）はレンズ１１に当接する面（表面）側から見た斜視図である。
連結具２０は、レンズ１１と同質又はレンズより軟質の材料であればよく、例えば、ポリカーボネート、セルローズプロピオネート、アセチルセルロース、ポリアミド、エポキシ、ポリウレタン、シリコーン等の樹脂材料で形成されていて、利用者の眼と対面するレンズ１１の裏面にその表面のほぼ全面が面接触状態で当接する連結具本体２１と、この連結具本体２１の一端に張り出し形成され、レンズ１１の側面１１ｂ（図１（ｂ）参照）の湾曲形状に合致した曲率を有する一定長さの円弧状の係合部２２とを有している。
【００１６】
また、ヨロイ１３に当接する連結具２０の裏面には、図２（ａ）に示すように、嵌合突起２１ｂがほぼ垂直に突出形成されている。さらに、連結具本体２１には、表面から裏面に向けて貫通形成され、ボルト２３が挿通する貫通孔２１ａが形成されている。
前記した係合部２２の長さは、連結具２０とレンズ１１との相対回転を規制することができるものであればよく、経験や実験又は眼鏡１のデザインに基づいて最適なものを決定するとよい。
【００１７】
図３及び図４は、スリーブナットの詳細を説明する図で、図３（ａ）はスリーブナットを頭部側から見た平面図、（ｂ）はスリーブナットの断面側面図、図４は、ねじ孔を主要部を拡大した部分断面図である。
スリーブナット２５は、連結具２０と同様に、レンズ１１と同質又はレンズ１１よりも軟質の材料で形成されている。
図３に示すように、スリーブナット２５は、有底筒状の軸部２５ａと、この軸部２５ａの一端に形成された頭部２５ｂと、軸部２５ａと頭部２５ｂとの間に形成され、頭部２５ｂから外周側に張り出すように形成されたフランジ２５ｃとから構成されている。
【００１８】
軸部２５ａには、ヨロイ１３をレンズ１１に連結するためのボルト２３（図１（ｂ）参照）と同ピッチのねじ溝が予め形成された有底のねじ孔２６が形成されている。
頭部２５ｂは、ヨロイ１３やブリッジ１２をレンズ１１に連結する際に使用するレンチと係合するように、正六角形状に形成されている。この実施形態では、正六角形の各辺を凹状に湾曲形成してあり、前記レンチによって頭部２５ｂに回転力を付与した際に頭部２５ｂが多少変形しても、前記レンチとの係合関係を良好な状態に維持し、ボルト２３とスリーブナット２５とを一定のトルクで確実に締め付けることができるようになっている。
【００１９】
スリーブナット２５のねじ孔２６のねじピッチ（ボルト２３のねじピッチに同じ）は、０．３ｍｍ程度（ボルト直径１．３ｍｍ〜１．４ｍｍ程度）とするのが好ましい。また、ねじ孔２６の内径は、図４に示すように、底部側の内径ｄを開口側の内径Ｄよりも僅かに小さく形成するとよい。底部側の内径ｄと開口側の内径Ｄとの比率は、ｄ／Ｄが０．８５〜０．９０程度とするのが好ましい。このようにすることで、ボルト２３の緩み止め効果を高めることができる。
【００２０】
図５は、上記構成の連結装置２を用いて眼鏡１を組み立てる手順を示す図で、ヨロイ１３をレンズ１１に取り付ける際の拡大分解斜視図である。
なお、図５には、レンズ１１とヨロイ１３の連結部分一カ所のみを示すが、残りの三つの連結部分においてもその基本構造はほぼ同じであるので、他の連結部分についての詳細な説明は省略する。
連結具２０は、組立後にレンズ１１とヨロイ１３との間で挟持されるように、レンズ１１の裏面とヨロイ１３との間に配置される。スリーブナット２５は、レンズ１１の表面側からレンズ１１の端部に形成された貫通孔１１ａに挿入される。
【００２１】
そして、連結具２０の係合部２２とレンズ１１の側面１１ｂとが係合するように、連結具２０をレンズ１１の裏面に当接させ、ヨロイ１３を連結具２０の本体２１に当接させる。このとき、連結具２０の嵌合突起２１ｂをヨロイ１３に形成された嵌合孔１３ｂに嵌入させる。
この状態で、ボルト２３を、ヨロイ１３の貫通孔１３ａ及び連結具２０の貫通孔２１ａに挿通させ、レンズ１１の貫通孔１１ａに挿入されたスリーブナット２５のねじ孔２６に螺入する。そして、ボルト２３の頭部をプラスドライバ等で押さえながら、レンチでスリーブナット２５の頭部２５ｂを回転させてボルト２３をスリーブナット２５に締め付ける。このようにすることで、連結具２０を介在させた状態でヨロイ１３がレンズ１１に締着され、ヨロイ１３とレンズ１１とが連結される。
【００２２】
図６は、連結装置２を介してヨロイ１３をレンズ１１に取り付けた状態を説明する部分断面図である。
図示するように、ヨロイ１３とレンズ１１との間に連結具本体２１が挟持されている。ヨロイ１３とレンズ１１とは、ヨロイ１３及び連結具本体２１を挿通したボルト２３がレンズ１１の貫通孔１１ａに挿入されたスリーブナット２５のねじ孔２６に螺入・締結されることで連結される。
【００２３】
上記構成の連結装置２においてレンズ１１と連結具２０との相対回転は、互いに係合するレンズ１１の側面１１ｂと係合部２２とによって抑制される。
また、連結具２０とヨロイ１３との相対回転は、互いに嵌合する嵌合突起２１ｂと嵌合孔１２ｂとによって抑制される。
したがって、本発明の連結装置２では、連結具２０，ヨロイ１３及びレンズ１１の位置合わせを行い、ボルト２３をスリーブナット２５に螺入・締着するだけで、ヨロイ１３をレンズ１１にがたつきなく強固に取り付けることができる。本発明の連結装置２では、スリーブナット２５に予めボルト２３と螺合するねじ溝が形成されているので、スリーブナット２５とボルト２３との間に大きな引張力が作用しても、ボルト２３が容易にはスリーブナット２５から抜脱することがなく、頑丈な構造の眼鏡を得ることができる。
【００２４】
図７は、本発明の他の実施形態を説明する図で、スリーブナットの頭部をレンズ１１に形成した座孔１１ｃに嵌装した状態を示す部分拡大平面図である。なお、この部分以外の他の部分については、先の実施形態と同様であるので、ここでは説明は省略する。
この実施形態のスリーブナットは、先の実施形態のスリーブナット２５と異なり、頭部と軸部との間のフランジ２５ｃは形成されていない。
レンズ１１の表面には、六葉花弁状の座孔１１ｃが形成され、この座孔１１ｃにスリーブナットの頭部２５ｂ′が嵌装されるようになっている。そして、座孔１１ｃの孔内側に突出する六葉花弁状の座孔１１ｃの頂部及びスリーブナットの頭部２５′に係合することで、座孔１１ｃに嵌装された頭部２５′はその回転が規制される。そのため、ボルト２３がスリーブナットに対して緩むことがない。
【００２５】
本発明の好適な実施形態について説明したが、本発明は上記の実施形態に限定されるものではない。
例えば、上記の説明では、連結具２０側に嵌合突起２１ｂを形成し、ヨロイ１３側に嵌合孔１３ｂを形成するものとして説明したが、連結具２０側に嵌合孔を形成し、ヨロイ１３側に嵌合突起を形成するようにしてもよい。また、前記嵌合突起及び嵌合孔の数は、一つに限らず複数としてもよい。
また、上記の説明では、レンズ１１の裏面側（利用者の眼に対面する面側）にヨロイ１３及び連結具２０を取り付けるものとして説明したが、レンズ１１の表面側で取り付けるようにしてもよい。
【００２６】
さらに、ボルト２３は金属製のものであってもよいし樹脂製のものであってもよい。
本発明においては、上記した連結具本体２１、係合部２２、スリーブナット２５及びボルト２３で連結装置２が構成されるが、これらの少なくとも一つ、好ましくは全部を透明又は半透明の材料で形成することで、連結装置２を目立たなくすることができる一方、これらを適宜の色で着色することで、眼鏡のデザインの幅を広げることができる。
また、本発明の他の実施形態において、座孔１１ｃの形状は六葉花弁状のものとして説明したが、座孔の周壁とスリーブナットの頭部とが少なくとも一カ所で係合すればスリーブナットの回転を規制することができるので、その形状は上記のものに限られない。
【産業上の利用可能性】
【００２７】
本発明は、ツーポイント眼鏡のようにレンズに直接ヨロイやブリッジが連結される構造の眼鏡に好適に適用が可能で、ヨロイやブリッジ，レンズの材質を問わず、広範に適用が可能である。
【図面の簡単な説明】
【００２８】
【図１】（ａ）は、本発明の一実施形態にかかる眼鏡の正面図、（ｂ）はヨロイとレンズの連結部分の拡大正面図である。
【図２】連結具の詳細を説明する図で、（ａ）は、ヨロイに当接する面（裏面）側から見た斜視図、（ｂ）はレンズに当接する面（表面）側から見た斜視図である。
【図３】スリーブナットの詳細を説明する拡大図で、（ａ）はスリーブナットを頭部側から見た平面図、（ｂ）は縦断面側面図である。
【図４】スリーブナットの詳細を説明する図で、ねじ孔の主要部を拡大した部分断面図である。
【図５】本発明の連結装置を用いてヨロイをレンズに取り付ける際の手順を説明する部分分解斜視図である。
【図６】連結装置を介してヨロイをレンズに取り付けた状態を説明する部分断面図である。
【図７】本発明の他の実施形態を説明する図で、スリーブナットの頭部をレンズ表面に形成した座孔に嵌装した状態を示す部分拡大平面図である。
【符号の説明】
【００２９】
１          眼鏡（ツーポイント眼鏡）
１１        レンズ
１１ａ      貫通孔
１１ｂ      側面
１１ｃ      座孔
１２        ブリッジ
１３        ヨロイ
２          連結装置
２０        連結具
２１        連結具本体
２１ａ      貫通孔
２１ｂ      嵌合突起
２２        係合部
２３        ボルト
２５        スリーブナット
２５ａ      軸部
２５ｂ，２５ｂ′      頭部
２５ｃ      フランジ
２６        ねじ孔
【図１】
2007093928.tif 000003
【図２】
2007093928.tif 000004
【図３】
2007093928.tif 000005
【図４】
2007093928.tif 000006
【図５】
2007093928.tif 000007
【図６】
2007093928.tif 000008
【図７】
2007093928.tif 000009